【手続補正書】
【提出日】平成19年6月21日(2007.6.21)
【手続補正１】
【補正対象書類名】明細書
【補正対象項目名】発明の名称
【補正方法】変更
【補正の内容】
【発明の名称】オークション主催者の手数料取得方法及びオークション主催者の手数料を取得するＷＷＷサーバ
【手続補正２】
【補正対象書類名】明細書
【補正対象項目名】特許請求の範囲
【補正方法】変更
【補正の内容】
【特許請求の範囲】
【請求項１】  金銭に換えて使用するポイントを送受信することによってオークションを運営する、オークション主催者が操作するＷＷＷサーバと、前記ＷＷＷサーバと接続され、オークションの利用者が有するポイントを保存するポイント保存部を備えた前記利用者が操作する利用者端末と、前記ポイントを金銭に両替する両替者が操作する両替者端末と、によって実行される前記ポイントを金銭に両替する際におけるオークション主催者の手数料取得方法であって、
前記利用者端末が、前記利用者端末のポイント保存部に保存されたポイントの少なくとも一部のポイントを前記ポイント保存部から減じるとともに、前記少なくとも一部のポイントを前記ＷＷＷサーバに送信するステップと、
前記ＷＷＷサーバが、前記利用者端末から受信したポイントから、前記オークション主催者の受け取る手数料に対応するポイントを減じたポイントを、前記利用者端末からポイントを送信した利用者を特定する情報とともに、前記両替者端末に送信するステップと、
前記両替者端末が、前記ＷＷＷサーバから、前記手数料に対応するポイントを減じたポイントと前記利用者を特定する情報とを受信するステップと、
を有することを特徴とするオークションにおける手数料取得方法。
【請求項２】  前記ＷＷＷサーバは、オークション主催者が有するポイントを保存するポイント保存部を備え、
前記ＷＷＷサーバが、前記利用者端末から受信したポイントのうち、前記オークション主催者の受け取る手数料に対応するポイントを、前記ポイント保存部に保存するステップを有していて、
前記利用者に、ポイントを両替した金銭が前記両替者から引き渡されなかった場合には、
前記ＷＷＷサーバが、前記ポイント保存部に保存されたポイントの少なくとも一部を、前記両替者から引き渡されなかった金銭に代えて、前記利用者端末に送信するステップを有すること
を特徴とする請求項１記載のオークションにおける手数料取得方法。
【請求項３】  金銭に換えて使用するポイントを送受信することによってオークションを運営する、オークション主催者が操作するＷＷＷサーバと、前記ＷＷＷサーバと接続され、オークションの利用者が有するポイントを保存するポイント保存部を備えた前記利用者が操作する利用者端末と、前記ポイントを金銭に両替する両替者が操作する両替者端末と、によって実行される前記ポイントを金銭に両替する際におけるオークション主催者の手数料取得方法であって、
前記両替者端末が、前記利用者端末を操作する利用者から引き渡された金銭を両替したポイントを、前記利用者を特定する情報とともに、前記ＷＷＷサーバに送信するステップと、
前記ＷＷＷサーバが、前記両替者端末から受信したポイントから、前記オークション主催者の受け取る手数料に対応するポイントを減じたポイントを、前記利用者を特定する情報により特定される前記利用者端末に送信するステップと、
前記利用者端末が、前記ＷＷＷサーバから、前記手数料に対応するポイントを減じたポイントを受信して、前記利用者端末のポイント保存部に保存するステップと、
を有することを特徴とするオークションにおける手数料取得方法。
【請求項４】  前記ＷＷＷサーバは、オークション主催者が有するポイントを保存するポイント保存部を備え、
前記ＷＷＷサーバが、前記両替者端末から受信したポイントのうち、前記オークション主催者の受け取る手数料に対応するポイントを、前記ポイント保存部に保存するステップを有していて、
前記利用者に、金銭を両替したポイントが前記両替者から送信されなかった場合には、
前記ＷＷＷサーバが、前記ポイント保存部に保存されたポイントの少なくとも一部を、前記両替者から送信されなかったポイントに代えて、前記利用者端末に送信するステップを有すること
を特徴とする請求項３記載のオークションにおける手数料取得方法。
【請求項５】  金銭に換えて使用するポイントを送受信することによって運営されるオークションにおいて、前記ポイントを金銭に両替する際にオークション主催者の手数料を取得するＷＷＷサーバであって、
オークションの利用者が有するポイントを保存するポイント保存部を備えた前記利用者が操作する利用者端末から、前記ポイント保存部に保存されたポイントから減じられたポイントを受信するポイント受信手段と、
前記ポイント受信手段が受信したポイントから、前記オークションの主催者の受け取る手数料に対応するポイントを減じたポイントを、前記利用者端末からポイントを送信した利用者を特定する情報とともに、前記ポイントを金銭に両替する両替者が操作する両替者端末に送信するポイント送信手段と、
を備えることを特徴とするオークションに用いられるＷＷＷサーバ。
【請求項６】  前記オークションの主催者が有するポイントを保存するポイント保存手段と、
前記ポイント受信手段が受信したポイントのうち、前記オークションの主催者の受け取る手数料に対応するポイントを、前記ポイント保存手段に加算するポイント加算手段と、
前記利用者に、ポイントを両替した金銭が前記両替者から引き渡されなかった場合には、前記ポイント保存手段に保存されたポイントの少なくとも一部を、前記両替者から引き渡されなかった金銭に代えて、前記利用者端末に送信する第２のポイント送信手段と、
を備えることを特徴とする請求項５記載のオークションに用いられるＷＷＷサーバ。
【請求項７】  金銭に換えて使用するポイントを送受信することによって運営されるオークションにおいて、前記ポイントを金銭に両替する際にオークション主催者の手数料を取得するＷＷＷサーバであって、
前記ポイントを金銭に両替する両替者が操作する両替者端末から、前記利用者端末を操作する利用者から引き渡された金銭を両替したポイントを、前記利用者を特定する情報とともに受信するポイント受信手段と、
前記ポイント受信手段が受信したポイントから、前記オークション主催者の受け取る手数料に対応するポイントを減じたポイントを、前記利用者を特定する情報により特定される前記利用者端末に、前記利用者端末に備えられた前記利用者が有するポイントを保存するポイント保存部に保存させるために送信するポイント送信手段と、
を備えることを特徴とするオークションに用いられるＷＷＷサーバ。
【請求項８】  前記オークションの主催者が有するポイントを保存するポイント保存手段と、
前記ポイント受信手段が受信したポイントのうち、前記オークションの主催者の受け取る手数料に対応するポイントを、前記ポイント保存手段に加算するポイント加算手段と、
前記利用者に、金銭を両替したポイントが前記両替者から送信されなかった場合には、前記ポイント保存手段に保存されたポイントの少なくとも一部を、前記両替者から送信されなかったポイントに代えて、前記利用者端末に送信する第２のポイント送信手段と、
を備えることを特徴とする請求項７記載のオークションに用いられるＷＷＷサーバ。
【手続補正３】
【補正対象書類名】明細書
【補正対象項目名】００２２
【補正方法】変更
【補正の内容】
【００２２】
まず、落札者は、利用者端末１０ｂに設けられているクライアント側ポイント保存部１４ｂに保存されているポイントのうち、提示ポイント数分のポイントをＷＷＷサーバー３０へ送信する。この操作により、クライアント側ポイント保存部１４ｂに保存されているポイントは、ＷＷＷサーバー３０へ送信した分だけ減少する。ＷＷＷサーバー３０は、利用者端末１０ｂから送信されたポイントを受信し（Ｓ１０）、該受信後に、落札者からポイントを受信したことを出品者の利用者端末１０ａへ送信する（Ｓ１２）。出品者は、利用者端末１０ａ上で、ＷＷＷサーバー３０が落札者からポイントを受信したことを確認した後、商品を宅配便、郵便等により、落札者へ送付する。